(57)【要約】【課題】携帯向け地上波デジタル放送受信端末のデータ放送閲覧機能において、ユーザの期待する優先度と送出側の都合とに適合して、優先度が高いと期待されるコンテンツが削除されてしまわないようにしたＭＭコンテンツの情報記憶手段を提供することを目的とする。【解決手段】本発明では、新たに取得するコンテンツの「個別優先度」と、その以前に取得したコンテンツの「優先度」に従う「従属優先度」と、これら「個別優先度」と「従属優先度」に基づき当該コンテンツの「優先度」を決定する。コンテンツの記憶手段の容量が溢れる時には最も「優先度」の低いコンテンツから順に削除するようにして、「戻る」機能を実施する時にユーザが「優先度」は高いと期待するコンテンツがユーザの意に反して削除されないようにする。【選択図】図２
2007020056.tif 000002
【特許請求の範囲】
【請求項１】
コンテンツを取得するコンテンツ取得手段と、
前記取得したコンテンツを複数個記憶可能な記憶手段と、
前記記憶した複数個のコンテンツのうちいずれかをアクティブ状態にして提示する提示手段と、
前記提示したコンテンツに基づいて前記取得手段で新たなコンテンツを取得することについてユーザによる指示を受け付ける受付手段と、
前記ユーザによる指示に基づいて新たに取得するコンテンツの優先度を、そのコンテンツに対するユーザの嗜好傾向及び／又は前記提示手段に現在提示されているコンテンツの優先度に基づいて決定する優先度決定手段と、
前記記憶された複数個のコンテンツのそれぞれについて、前記優先度決定手段で決定された優先度を管理する優先度管理手段と、
前記記憶された複数個のコンテンツが前記提示手段に順次提示された遷移履歴を管理する遷移履歴管理手段と、
前記記憶手段に記憶された複数個のコンテンツ及び前記取得手段で新たに取得されたコンテンツのうち、最も優先度の低いコンテンツを前記記憶手段から削除する削除手段と、
を備える情報記憶装置。
【請求項２】
前記優先度決定手段は、前記提示手段に提示中のコンテンツに対するユーザの嗜好傾向に基づく個別優先度を取得し、かつ、前記遷移履歴管理手段に管理された遷移履歴に基づき前記提示手段で一つ前に提示されたコンテンツの優先度を前記提示中のコンテンツの従属優先度として取得し、前記個別優先度と前記従属優先度のうち大きい方の値を前記提示中のコンテンツの優先度と決定する、
請求項１に記載の情報記憶装置。
【請求項３】
前記優先度決定手段は、前記提示手段に提示中のコンテンツから前記遷移履歴管理手段に管理された遷移履歴に基づき一つ前に提示されたコンテンツへ戻る時、前記提示中のコンテンツに対する前記個別優先度と前記提示中のコンテンツに対する前記従属優先度とを比較し、前記従属優先度の値が前記個別優先度の値より大きい場合、前記個別優先度を前記提示中のコンテンツの優先度と決定し前記優先度管理手段を再設定する、
請求項１又は２に記載の情報記憶装置。
【請求項４】
前記優先度決定手段は、前記記憶手段に記憶されたいずれかのコンテンツの優先度が更新されたとき、前記優先度が更新されたコンテンツの更新後の優先度をそのコンテンツから遷移して提示されたコンテンツの従属優先度として決定し、前記遷移先のコンテンツの従属優先度と前記遷移先のコンテンツの個別優先度とを比較し、前記遷移先のコンテンツの従属優先度と前記遷移先のコンテンツの個別優先度のうち大きい方の値を前記遷移先のコンテンツの優先度と決定し、前記優先度管理手段に設定する、
請求項１〜３のいずれかに記載の情報記憶装置。
【請求項５】
前記コンテンツ取得手段が送出側からコンテンツの更新指示を受取った時に、前記コンテンツ取得手段はコンテンツの更新指示に伴う新たなコンテンツを取得し、前記前記優先度決定手段は前記記憶手段に存在し、かつ、前記更新指示の対象になっているコンテンツの従属優先度を前記新たなコンテンツの従属優先度として決定し、前記新たなコンテンツに対するユーザの嗜好傾向に基づいてそのコンテンツに対する個別優先度として決定する、
請求項１〜４のいずれかに記載の情報記憶装置。
【請求項６】
前記コンテンツ取得手段が、新たなコンテンツを取得しようとした時に、前記記憶手段の容量が不足し前記新たなコンテンツを記憶できないとわかった場合に、前記削除手段は、前記遷移履歴管理手段に管理されている遷移履歴に基づき前記優先度管理手段に管理された優先度を順次遡り、遡った中で優先度の最も低いコンテンツを前記記憶手段から削除する、
請求項１〜５のいずれかに記載の情報記憶装置。
【請求項７】
コンテンツを取得する取得ステップと、
前記取得したコンテンツを複数個記憶する記憶ステップと、
前記記憶した複数個のコンテンツのうちいずれかをアクティブ状態にして提示する提示ステップと、
前記提示したコンテンツに基づいて前記新たなコンテンツを取得することについてユーザによる指示を受け付ける受付ステップと、
前記ユーザによる指示に基づいて新たに取得するコンテンツの優先度を、そのコンテンツに対するユーザの嗜好傾向及び／又は前記現在提示されているコンテンツの優先度に基づいて決定する優先度決定ステップと、
前記記憶された複数個のコンテンツのそれぞれについて、決定された前記優先度を管理する優先度管理ステップと、
前記記憶された複数個のコンテンツが順次提示された遷移履歴を管理する遷移履歴管理ステップと、
前記記憶された複数個のコンテンツ及び前記新たに取得されたコンテンツのうち、最も優先度の低いコンテンツを前記記憶から削除する削除ステップと、
を備える情報記憶方法。
【請求項８】
前記優先度決定するステップは、
前記提示ステップで提示中のコンテンツに対するユーザの嗜好傾向に基づく個別優先度を取得する個別優先度取得ステップと、
前記遷移履歴管理ステップで管理された遷移履歴に基づき前記提示ステップで一つ前に提示されたコンテンツの優先度を前記提示中のコンテンツの従属優先度として取得する従属優先度取得ステップと、
前記個別優先度と前記従属優先度のうち大きい方の値を前記提示中のコンテンツの優先度と決定するする優先度決定ステップと、
を備える請求項７に記載の情報記憶方法。
【請求項９】
提示中のコンテンツから前記管理された遷移履歴に基づき一つ前に提示されたコンテンツへ戻る時、
前記優先度決定ステップは、前記提示中のコンテンツに対する前記個別優先度と前記提示中のコンテンツに対する前記従属優先度とを比較する比較ステップと、前記従属優先度の値が前記個別優先度の値より大きい場合、前記個別優先度を前記提示中のコンテンツの優先度と決定し再設定する前記優先度管理ステップとを備える、
請求項７又は８に記載の情報記憶方法。
【請求項１０】
記憶中のコンテンツの優先度が更新されたとき、
前記優先度が更新された記憶中のコンテンツの更新された優先度を遷移先のコンテンツの従属優先度と決定するステップと、前記遷移先のコンテンツの従属優先度と遷移先のコンテンツの個別優先度とを比較する比較ステップと、前記遷移先のコンテンツの従属優先度と前記遷移先のコンテンツの個別優先度のうち大きい方の値を前記遷移先のコンテンツの優先度と決定する優先度決定ステップと、前記決定された遷移先のコンテンツの優先度に基づき優先度を設定する優先度管理ステップとを備える、
請求項７〜９のいずれかに記載の情報記憶方法。
【請求項１１】
前記コンテンツ取得ステップで送出側から送出されたコンテンツの更新指示を受取った時に、前記コンテンツ取得ステップは前記コンテンツの更新指示に伴う新たなコンテンツを取得するステップを有し、
前記優先度決定ステップは、
前記記憶手段に存在し、かつ、前記更新指示の対象になっているコンテンツの従属優先度を前記新たなコンテンツの従属優先度として決定するステップと、
前記新たなコンテンツに対するユーザの嗜好傾向に基づいてそのコンテンツに対する個別優先度として決定ステップと、
を備える請求項７〜１０のいずれかに記載の情報記憶方法。
【請求項１２】
前記コンテンツ取得ステップで新たなコンテンツを取得しようとした時に、
前記記憶の容量が不足し前記新たなコンテンツを記憶できないとわかった場合に、前記削除ステップは、
前記遷移履歴管理ステップで管理されている遷移履歴に基づき前記優先度管理ステップにおいて管理された優先度を順次遡るステップと、
遡った中で優先度の最も低いコンテンツを前記記憶から削除するステップと、
を備える請求項７〜１１のいずれかに記載の情報記憶方法。
【発明の詳細な説明】
【技術分野】
【０００１】
本発明は放送によって提供されるサービスのうち、主にマルチメディアサービスにおいて使用され、放送波から取得されるデータを蓄積、管理する情報記憶装置および情報記憶方法に関する。
【背景技術】
【０００２】
携帯端末向け地上波デジタル放送においてマルチメディア（以下ＭＭと記述する）サービスであるデータ放送の閲覧機能において、受信端末は前回まで閲覧していたコンテンツページを順次参照できるようにするために、「戻る」ボタンを必ず具備することが求められる。放送によるコンテンツはインターネット上に存在するコンテンツとは異なり、その提示内容に破綻が起きてはならないという制約がある。
【０００３】
特許文献１によって、コンテンツの整合性を保ちつつ「戻る」機能を実現するための画面遷移の判断方法が提案されている。
【０００４】
ＭＭサービスの持つインタラクティブ性から、ユーザは、受信携帯端末でデータ放送閲覧機能の中で「戻る」機能を多用することが容易に考えられる。しかし、ユーザがあるコンテンツに「戻る」ことを指示する毎に、新たにコンテンツに関連する情報を放送側から取得していたのでは、携帯端末に向けた帯域の狭い地上波デジタル放送では、まずコンテンツに関連する情報取得してからでないと、所望のコンテンツに戻ってコンテンツを提示できないので、提示する迄に長時間かかる。
【０００５】
この問題を解決するために、Ｗｅｂブラウザ等インターネットにおけるＭＭサービスの閲覧機能では、一回取得したコンテンツを記憶手段に保存保持し続けることにより、再取得を回避する方法が一般に用いられている。
【０００６】
すべてのコンテンツを平等に記憶手段に保存した場合、記憶手段がオーバーフローする場合が生じる。その場合に、古い順にコンテンツを自動的に削除していくことにより、記憶手段のオーバーフローを回避することは簡単な方法の一つである。しかし、その場合、参照される可能性の高いコンテンツも記憶手段から削除されてしまうことがしばしば起きる。それを回避するために、コンテンツに優先度を付加して管理することが一般に考えられる。
【０００７】
その方法の一つとして特許文献２には、放送サービスにおいてユーザの嗜好傾向を優先度の指標にして、優先度の指標に基づいてコンテンツを記憶手段に保管して管理する手法が提案されている。
【特許文献１】特開２００４−３０４３０８号公報
【特許文献２】特開平１１−１９６３８９号公報
【発明の開示】
【発明が解決しようとする課題】
【０００８】
しかし、地上波デジタル放送では、ＷＷＷ（Ｗｏｒｌｄ Ｗｉｄｅ Ｗｅｂ）に代表されるインターネットとは異なり、放送の送出側の指示により、コンテンツの更新処理が行われ、更新後には必ず最新のコンテンツを提示することが求められる。そのため、古いコンテンツを提示することは許容されない。受信携帯端末が取得したコンテンツの全てをそのまま保持する場合、送出側による番組内容の更新指示によって、受信携帯端末に対してコンテンツの更新処理が要求される。
【０００９】
この要求に応じて、受信携帯端末が、記憶手段の更新処理すると、やはり、古いけれどもユーザが参照する可能性の高いコンテンツが削除されてしまうことが起きる。言い換えると、ユーザの期待するコンテンツ管理と送出側の都合によるコンテンツ管理の間でコンテンツ管理における整合性が取れなくなる。
【００１０】
この様に、古いけれどもユーザが参照する可能性の高いコンテンツが、送出側のコンテンツ更新指示に伴う記憶手段の更新処理によって削除されると、ユーザは「戻る」機能を利用してこの古いコンテンツをたどって、まだ記憶手段に保持している他のコンテンツへ「戻る」ことができなくなることが起こりうる。
【００１１】
また、Ｗｅｂブラウザと異なり、放送サービスによるＭＭサービス閲覧機能ではユーザが直接コンテンツのＵＲＬを指定することができない。しがたって、特許文献１では、ＭＢＬブラウザにおいて、履歴機能により、前回提示されていた文書に遷移すること、及び、特定の処理により履歴機能を無効にすることが示されている。しかし、この場合「戻る」機能を使ってユーザの期待するコンテンツに戻る時に戻れないという不具合が発生する。
また、引用文献２には、ユーザの嗜好に合った情報が自動的に蓄積されるデータ放送システムが示されている。
【００１２】
しかしながら、参照される可能性が高い、言い換えると、優先度が高いと期待されるコンテンツを参照した後、参照される可能性が低い、言い換えると、優先度が低いコンテンツを参照し、さらに別のコンテンツに遷移した後に、「戻る」機能を利用して、参照される可能性が高い、言い換えると、以前に保存しておいた優先度が高いコンテンツを参照しようとしても、遷移の途中にある優先度の低いコンテンツが削除されてしまった場合には、以前に保存しておいた優先度の高いコンテンツに戻れなくなる。
【００１３】
要するに、優先度の低い順にコンテンツを削除する場合であっても、送出側の指示により、例えば、古い順にコンテンツを削除する場合であっても、ユーザが辿って行ったコンテンツの中に優先度の低いコンテンツがあることにより、又は、ユーザが辿って行ったコンテンツの中に送出側の指示により削除されたコンテンツが含まれていると、ユーザが「戻る」機能を利用して目的とするコンテンツ又は元のコンテンツに辿りついて参照することが不可能になってしまうという問題がある。
【００１４】
そこで、本発明は上記で挙げた問題を解決し、ユーザの期待する優先度と送出側の都合とに適合して、優先度が高いと期待されるコンテンツが削除されてしまわないようにしたＭＭコンテンツの情報記憶手段を提供することを目的とする。
【課題を解決するための手段】
【００１５】
第１の本発明は、コンテンツを取得するコンテンツ取得手段と、前記取得したコンテンツを複数個記憶可能な記憶手段と、前記記憶した複数個のコンテンツのうちいずれかをアクティブ状態にして提示する提示手段と、前記提示したコンテンツに基づいて前記取得手段で新たなコンテンツを取得することについてユーザによる指示を受け付ける受付手段と、前記ユーザによる指示に基づいて新たに取得するコンテンツの優先度を、そのコンテンツに対するユーザの嗜好傾向及び／又は前記提示手段に現在提示されているコンテンツの優先度に基づいて決定する優先度決定手段と、前記記憶された複数個のコンテンツのそれぞれについて、前記優先度決定手段で決定された優先度を管理する優先度管理手段と、前記記憶された複数個のコンテンツが前記提示手段に順次提示された遷移履歴を管理する遷移履歴管理手段と、前記記憶手段に記憶された複数個のコンテンツ及び前記取得手段で新たに取得されたコンテンツのうち、最も優先度の低いコンテンツを前記記憶手段から削除する削除手段と、を備える情報記憶装置である。
【００１６】
上記の情報記憶装置を用いることにより、コンテンツの整合性を保つため、「戻る」機能を使用において一つしか履歴を辿れないときも、従属優先度を設定することにより、コンテンツの優先度は必ず戻り先のコンテンツの優先度と比較して高くなるため、途中のコンテンツがキャッシュから廃棄され参照不可能になることはない。
【００１７】
第２の本発明は、前記優先度決定手段は、前記提示手段に提示中のコンテンツに対するユーザの嗜好傾向に基づく個別優先度を取得し、かつ、前記遷移履歴管理手段に管理された遷移履歴に基づき前記提示手段で一つ前に提示されたコンテンツの優先度を前記提示中のコンテンツの従属優先度として取得し、前記個別優先度と前記従属優先度のうち大きい方の値を前記提示中のコンテンツの優先度と決定することを特徴とする請求項１に記載の情報記憶装置である。
【００１８】
上記の情報記憶装置を用いることにより、ユーザの嗜好傾向を反映する個別優先度と従属優先度を比較し、これらの高い方を優先度として設定することにより、優先度の高いコンテンツが削除されないようにできる。
第３の本発明は、前記提示手段に提示中のコンテンツから前記遷移履歴管理手段に管理された遷移履歴に基づき一つ前に提示されたコンテンツへ戻る時、前記優先度決定手段は、前記提示中のコンテンツに対する前記個別優先度と前記提示中のコンテンツに対する前記従属優先度とを比較し、前記従属優先度の値が前記個別優先度の値より大きい場合、前記個別優先度を前記提示中のコンテンツの優先度と決定し前記優先度管理手段を再設定することを特徴とする請求項１又は２のいずれかに記載の情報記憶装置である。
これにより、新たなコンテンツを取得し酔うとした時に、コンテンツを記憶する記憶手段が既に満杯になっていて、新たなコンテンツのデータサイズを保存できなくなっていた時に対処が可能になる。個別優先度が再設定されたコンテンツの個別優先度が低い場合には、「戻る」遷移時に優先度が低ければ記憶手段から廃棄できるようになり、ユーザの期待する優先度の高いコンテンツが新たなコンテンツの取得によって廃棄されないようにする環境が整う。
【００１９】
第４の本発明は、前記記憶手段に記憶されたいずれかのコンテンツの優先度が更新されたとき、前記優先度決定手段は、前記優先度が更新されたコンテンツの更新後の優先度をそのコンテンツから遷移して提示されたコンテンツの従属優先度として決定し、前記遷移先のコンテンツの従属優先度と前記遷移先のコンテンツの個別優先度とを比較し、前記遷移先のコンテンツの従属優先度と前記遷移先のコンテンツの個別優先度のうち大きい方の値を前記遷移先のコンテンツの優先度と決定し、前記優先度管理手段に設定することを特徴とする請求項１〜３のいずれかに記載の情報記憶装置である。
これにより、記憶されたいずれかのコンテンツの優先度が更新される毎に、その更新された優先度に基づき関係するコンテンツの優先度を設定するので、例えば、「戻る」遷移においてユーザの期待する優先度の高いコンテンツが新たなコンテンツの取得によって廃棄されないようにし、ユーザが期待する優先度の高いコンテンツに「戻る」ことが可能な環境が整う。
【００２０】
第５の本発明は、前記コンテンツ取得手段が送出側から送出されたコンテンツの更新指示を受取った時に、前記コンテンツ取得手段は前記コンテンツの更新指示に伴う新たなコンテンツを取得し、前記優先度決定手段は、前記記憶手段に存在し、かつ、前記更新指示の対象になっているコンテンツの従属優先度を前記新たなコンテンツの従属優先度として決定し、前記新たなコンテンツに対するユーザの嗜好傾向に基づいてそのコンテンツに対する個別優先度として決定することを特徴とする請求項１〜４のいずれかに記載の情報記憶装置である。
【００２１】
これにより、ユーザの嗜好に基づく個別優先度が新たなコンテンツの取得のたびに、決定されるので、優先度にしたがって、古いコンテンツの替わりの新しいコンテンツの再蓄積が行われ、コンテンツの整合性は保たれ、このコンテンツをたどってまだ記憶手段に保持している他のコンテンツへ閲覧が可能になる。
【００２２】
第６の本発明は、前記コンテンツ取得手段が、新たなコンテンツを取得しようとした時に、前記記憶手段の容量が不足し前記新たなコンテンツを記憶できないとわかった場合に、前記削除手段は、前記遷移履歴管理手段に管理されている遷移履歴に基づき前記優先度管理手段に管理された優先度を順次遡り、遡った中で優先度の最も低いコンテンツを前記記憶手段から削除することを特徴とする請求項１〜５のいずれかに記載の情報記憶装置である。
【００２３】
これにより、優先度の低いコンテンツから順に削除されるので、古いコンテンツの替わりの新しいコンテンツの再蓄積が行われ、コンテンツの整合性は保たれ、このコンテンツをたどってまだ記憶手段に保持している他のコンテンツへ閲覧が可能になる。
第７の本発明は、コンテンツを取得する取得ステップ、前記取得したコンテンツを複数個記憶する記憶ステップ、前記記憶した複数個のコンテンツのうちいずれかをアクティブ状態にして提示する提示ステップ、前記提示したコンテンツに基づいて前記新たなコンテンツを取得することについてユーザによる指示を受け付ける受付ステップ、前記ユーザによる指示に基づいて新たに取得するコンテンツの優先度を、そのコンテンツに対するユーザの嗜好傾向及び／又は前記現在提示されているコンテンツの優先度に基づいて決定する優先度決定ステップ、前記記憶された複数個のコンテンツのそれぞれについて、決定された前記優先度を管理する優先度管理ステップ、前記記憶された複数個のコンテンツが順次提示された遷移履歴を管理する遷移履歴管理ステップ、前記記憶された複数個のコンテンツ及び前記新たに取得されたコンテンツのうち、最も優先度の低いコンテンツを前記記憶から削除する削除ステップと、を備える情報記憶方法である。
【００２４】
上記の情報記憶方法を用いることにより、ユーザの嗜好傾向を反映する個別優先度と従属優先度を比較し、これらの高い方を優先度として設定することにより、優先度の高いコンテンツが削除されないようにできる。
【００２５】
第８の本発明は、前記優先度決定するステップは、前記提示ステップで提示中のコンテンツに対するユーザの嗜好傾向に基づく個別優先度を取得する個別優先度取得ステップ、前記遷移履歴管理ステップで管理された遷移履歴に基づき前記提示ステップで一つ前に提示されたコンテンツの優先度を前記提示中のコンテンツの従属優先度として取得する従属優先度取得ステップ、前記個別優先度と前記従属優先度のうち大きい方の値を前記提示中のコンテンツの優先度と決定するする優先度決定ステップからなることを特徴とする請求項７に記載の情報記憶方法である。
【００２６】
上記の情報記憶装置を用いることにより、ユーザの嗜好傾向を反映する個別優先度と従属優先度を比較し、これらの高い方を優先度として設定することにより、優先度の高いコンテンツが削除されないようにできる。
【００２７】
第９の本発明は、提示中のコンテンツから前記管理された遷移履歴に基づき一つ前に提示されたコンテンツへ戻る時、前記優先度決定ステップは、前記提示中のコンテンツに対する前記個別優先度と前記提示中のコンテンツに対する前記従属優先度とを比較する比較ステップ、前記従属優先度の値が前記個別優先度の値より大きい場合、前記個別優先度を前記提示中のコンテンツの優先度と決定し再設定する前記優先度管理ステップからなることを特徴とする請求項７又は８のいずれかに記載の情報記憶方法である。
【００２８】
これにより、新たなコンテンツを取得し酔うとした時に、コンテンツを記憶する記憶手段が既に満杯になっていて、新たなコンテンツのデータサイズを保存できなくなっていた時に対処が可能になる。個別優先度が再設定されたコンテンツの個別優先度が低い場合には、「戻る」遷移時に優先度が低ければ記憶手段から廃棄できるようになり、ユーザの期待する優先度の高いコンテンツが新たなコンテンツの取得によって廃棄されないようにする環境が整う。
【００２９】
第１０の本発明は、記憶中のコンテンツの優先度が更新されたとき、前記優先度が更新された記憶中のコンテンツの更新された優先度を遷移先のコンテンツの従属優先度と決定するステップと、前記遷移先のコンテンツの従属優先度と遷移先のコンテンツの個別優先度とを比較する比較ステップと、前記遷移先のコンテンツの従属優先度と前記遷移先のコンテンツの個別優先度のうち大きい方の値を前記遷移先のコンテンツの優先度と決定する優先度決定ステップと、前記決定された遷移先のコンテンツの優先度に基づき優先度を設定する優先度管理ステップとを有することを特徴とする請求項７〜９のいずれかに記載の情報記憶方法である。
【００３０】
これにより、記憶されたいずれかのコンテンツの優先度が更新される毎に、その更新された優先度に基づき関係するコンテンツの優先度を設定するので、例えば、「戻る」遷移においてユーザの期待する優先度の高いコンテンツが新たなコンテンツの取得によって廃棄されないようにし、ユーザが期待する優先度の高いコンテンツに「戻る」ことが可能な環境が整う。
【００３１】
第１１の本発明は、前記コンテンツ取得ステップで送出側から送出されたコンテンツの更新指示を受取った時に、前記コンテンツ取得ステップは前記コンテンツの更新指示に伴う新たなコンテンツを取得するステップを有し、前記優先度決定ステップは、前記記憶手段に存在し、かつ、前記更新指示の対象になっているコンテンツの従属優先度を前記新たなコンテンツの従属優先度として決定するステップと、前記新たなコンテンツに対するユーザの嗜好傾向に基づいてそのコンテンツに対する個別優先度として決定するステップとからなることを特徴とする請求項７〜１０のいずれかに記載の情報記憶方法である。
【００３２】
これにより、ユーザの嗜好に基づく個別優先度が新たなコンテンツの取得のたびに、決定されるので、優先度にしたがって、古いコンテンツの替わりの新しいコンテンツの再蓄積が行われ、コンテンツの整合性は保たれ、このコンテンツをたどってまだ記憶手段に保持している他のコンテンツへ閲覧が可能になる。
【００３３】
第１２の本発明は、前記コンテンツ取得ステップで新たなコンテンツを取得しようとした時に、前記記憶の容量が不足し前記新たなコンテンツを記憶できないとわかった場合に、前記削除ステップは、前記遷移履歴管理ステップで管理されている遷移履歴に基づき前記優先度管理ステップにおいて管理された優先度を順次遡るステップと、遡った中で優先度の最も低いコンテンツを前記記憶から削除するステップとからなることを特徴とする請求項７〜１１のいずれかに記載の情報記憶方法である。
【００３４】
これにより、優先度の低いコンテンツから順に削除されるので、古いコンテンツの替わりの新しいコンテンツの再蓄積が行われ、コンテンツの整合性は保たれ、このコンテンツをたどってまだ記憶手段に保持している他のコンテンツへ閲覧が可能になる。
【発明の効果】
【００３５】
Ｗｅｂサービスと異なり、放送サービスによるＭＭコンテンツ閲覧機能ではユーザが直接コンテンツのＵＲＬを指定しなくても、コンテンツ自身の個別優先度と前のコンテンツに依存する従属優先度を設定することにより、ユーザの期待と送出側の都合がマッチした情報記憶手段を提供することができる。
【００３６】
言い換えると、ユーザが期待する優先度の高いコンテンツが消され難くできる。また、送出側ではある程度古いコンテンツを消去すると言う情報を送っても、本発明による受信側での工夫で、古いコンテンツを残しておくようにできる。
【００３７】
また、ユーザが「戻る」機能を利用して２つ以上コンテンツを辿って「戻る」場合に、途中に優先度が低いコンテンツがあるときに、それより優先度が高いコンテンツに遷移しようとした場合でも、優先度の低い途中のコンテンツに阻止されること無く、戻りたい先の優先度の高いコンテンツに容易に「戻る」ことができる情報記憶手段を提供することができる。
【００３８】
また、情報記憶装置の容量をやたらに大きくしなくても良い。
【発明を実施するための最良の形態】
【００３９】
（実施の形態）
本発明の実施の形態について説明する。図１は本発明を実施する一つの形態の全体構成図である。本発明の情報記憶装置１１は、コンテンツを取得するコンテンツ取得手段１２と、前記取得したコンテンツを複数個記憶可能な記憶手段１０と、前記記憶した複数個のコンテンツのうちいずれかをアクティブ状態にして提示する提示手段１５と、前記提示したコンテンツに基づいて前記取得手段で新たなコンテンツを取得することについてユーザによる指示を受け付ける受付手段１３と、前記ユーザによる指示に基づいて、また、新たに取得するコンテンツの優先度を、そのコンテンツに対するユーザの嗜好傾向及び／又は前記提示手段に現在提示されているコンテンツの優先度に基づいて決定する優先度決定手段１９と、前記記憶された複数個のコンテンツのそれぞれについて、前記優先度決定手段１９で決定された優先度を管理する優先度管理手段１７と、前記記憶手段１０に前記記憶された複数個のコンテンツが前記提示手段１５に順次提示された遷移履歴を管理する遷移履歴管理手段２０と、前記記憶手段１０に記憶された複数個のコンテンツ及び前記取得手段１２で新たに取得されたコンテンツのうち、最も優先度の低いコンテンツを前記記憶手段１０から削除する削除手段２１とを備えている。
【００４０】
この構成では、情報記憶装置１１は、取得したコンテンツを複数個記憶可能で、コンテンツ取得手段１２で取得したコンテンツを記憶手段１０に記憶する。提示手段１５は、前記の記憶手段１０に記憶した複数個のコンテンツのうちいずれかをアクティブ状態にして提示する。ユーザはこの提示手段１５に提示されたコンテンツを見て活用する。提示手段１５は、液晶表示装置などのディスプレイ装置が使用できるが、他のディスプレイであっても良い。コンテンツを取得するコンテンツ取得手段１２は、例えば、放送受信装置である。受付手段１３は、提示手段１５に提示したコンテンツに基づいて、取得手段１２で新たなコンテンツを取得することについてユーザによる指示を受け付ける。ユーザの指示は、キー、ボタン、などの操作によって行われる。
【００４１】
優先度決定手段１９は、ユーザによる指示に基づいて新たに取得するコンテンツの優先度を、そのコンテンツに対するユーザの嗜好傾向又は提示手段１５に現在提示されているコンテンツの優先度に基づいて決定する。
【００４２】
優先度管理手段１７は、記憶された複数個のコンテンツのそれぞれについて、優先度決定手段１９で決定された優先度を管理する。遷移履歴管理手段２０は、記憶された複数個のコンテンツが提示手段１５に順次提示された遷移履歴を管理する。削除手段２１は、記憶手段１０に記憶された複数個のコンテンツ及び前記取得手段１２で新たに取得されたコンテンツのうち、最も優先度の低いコンテンツを記憶手段１０から削除する。
【００４３】
この優先度決定手段１９において優先度がどのように決定され、遷移履歴管理手段２０において遷移履歴管理がどのように管理され、削除手段２１において最も優先度の低いコンテンツがどのように削除されるかについては、後で詳しく述べる。
【００４４】
ＭＭコンテンツ解析手段１８は、放送状態を監視している放送状態管理手段１６と、コンテンツ毎の取得時刻と時間を計測する時間計測手段１４と、ユーザの指示を受け付ける受付手段１３とで構成され、これらのコンテンツ毎の情報を解析する。優先度決定手段１９は、これらのコンテンツ毎の情報に基づいてコンテンツ毎の優先度を決定する。
【００４５】
時間計測手段１４は取得手段１２がそれぞれのコンテンツを取得している時間を計測する。また、コンテンツ解析手段１８によって記憶手段１０や提示手段１５に通知される制御の情報は、例えば、取得手段１２が取得しているコンテンツの種類、コンテンツの種類毎に取得手段１２が取得していた取得時間、コンテンツの種類毎に取得手段１２が取得した取得回数、及び、ユーザがユーザの指示の受付手段１３に入力した情報などを含んでいる。これら、コンテンツの種類、コンテンツの種類毎の取得時間、コンテンツの種類毎の取得回数、取得する時間帯などに基づいて、先述のように、優先度決定手段１９は、各コンテンツの個別優先度を算出し管理する。
【００４６】
これらの個別優先度の算出は例えば統計的な手法に基づいて行っても良い。また、どのような手法を使って算出しても良く、算出方法は本発明の主題ではないので、ここではその詳細の説明は省略する。また、ユーザは、取得するコンテンツ毎に個別優先度をユーザの指示の受付手段１３で決定し優先度決定手段１９に設定することもできる。また、ユーザは、自分の好みに応じた指示、例えば、コンテンツの種類毎の個別優先度、を受付手段１３で予め優先度決定手段１９に設定するようにできる。
【００４７】
なお、本発明による個別優先度の算出方法は、上記以外にも、ユーザに関する情報を外部のデータベースから取得し利用する場合、搭載されている端末の状態、例えば、コンテンツを提示する際の計算負荷などを情報として利用する場合が考えられる。この場合、例えば、送出側には、ユーザの好み、例えば、コンテンツの種類、コンテンツの種類毎の受信時間、コンテンツの種類毎の受信回数、受信する時間帯、などのユーザの属性情報が蓄えられていて、これを、ユーザが取得して、これら取得した属性情報に基づき、優先度決定手段１９は、各コンテンツの個別優先度を算出し管理する。また、取得した属性情報に基づき、ユーザが指示受付手段１３でコンテンツの種類毎の個別優先度を優先度決定手段１９に設定することもできる。
【００４８】
図２に本発明の情報記憶装置１１を用いた場合のコンテンツ遷移の例を示す。図１にける記憶手段１０は、記憶装置Ｃ５１、Ｃ５２、Ｃ５３、Ｃ５４、Ｃ５５で構成されている。記憶手段１０は例えば合計１０００の記憶容量を持つ。この合計１０００の記憶容量は、記憶装置Ｃ５１、Ｃ５２、Ｃ５３、Ｃ５４、Ｃ５５に、コンテンツＡ、Ｂ、Ｃ、Ｄ、Ｅのデータサイズ３００、３００、２００、２００、３００に応じて、それぞれ、割当てられるものとする。この状態で、例えば、個別優先度については当初、コンテンツＡの個別優先度が１００、コンテンツＢの個別優先度が４０、コンテンツＣの個別優先度が５０、コンテンツＤの個別優先度が５０、コンテンツＥの個別優先度が３０であるとして、次に説明する。また、この遷移例では実線の矢印は、コンテンツが記憶手段１０（記憶装置Ｃ５１、Ｃ５２、Ｃ５３、Ｃ５４、Ｃ５５を含む）に、コンテンツが順次記憶される時の遷移を示す。破線の矢印は「戻る」機能により、コンテンツＤ（記憶装置Ｃ５２）からコンテンツＡ（記憶装置Ｃ５１）へ戻る遷移を示す。実線は通常のコンテンツ遷移を、破線は「戻る機能」によるコンテンツ遷移を表す。コンテンツはコンテンツＡを出発して、実線及び破線に付加しているコンテンツ遷移番号（１）、（２）、（３）、（４）、（５）の順に従って、即ち、コンテンツＡ、コンテンツＤ、コンテンツＡ、コンテンツＢ、コンテンツＣ、コンテンツＥの順で遷移して、記憶装置Ｃ５１、Ｃ５２、Ｃ５１、Ｃ５３、Ｃ５４、Ｃ５５に、それぞれ、保存しようとするものとする。
【００４９】
図２では、コンテンツはコンテンツＡを出発して、実線及び破線に付加しているコンテンツ遷移番号（１）、（２）、（３）、（４）、（５）の順に従って、コンテンツＡ、コンテンツＤ、コンテンツＡ、Ｂ、Ｃ、Ｅは、記憶装置Ｃ５１、Ｃ５２、Ｃ５１、Ｃ５３、Ｃ５４、Ｃ５５の順で遷移して、それぞれ、保存しようとするものとする。
【００５０】
この状態では、これらコンテンツＡ、Ｂ、Ｃ、Ｄ、Ｅに必要な容量は合計１３００となり、これは記憶手段１０全体で使用できる容量１０００を超えている。そのため、コンテンツＡ、Ｂ、Ｃ、Ｄ、Ｅの全てを、記憶装置Ｃ５１、Ｃ５３、Ｃ５４、Ｃ５２、Ｃ５５に、それぞれ、記憶しておくことはできない。
【００５１】
そこで、本発明では、優先度に基づき、記憶手段１０を管理する。そのために、優先度管理手段１７において管理されている優先度の情報と、遷移履歴管理手段２０に管理されている遷移情報とに基づいて、記憶手段１０（記憶装置Ｃ５１、Ｃ５２、Ｃ５３、Ｃ５４、Ｃ５５を含む）を制御する。
【００５２】
この時、優先度の情報に、優先度に関する三つの概念を導入する。その一つは、コンテンツを取得した時にコンテンツそのもの属性やユーザの嗜好傾向などに基づく「個別優先度」である。もう一つは、遷移時に一つ前に提示されたコンテンツの優先度を取得してそれを従属優先度とする「従属優先度」である。更に、もう一つは、遷移の順序に基づいて、前記「個別優先度」と前記「従属優先度」に基づいて決定される「優先度」である。
【００５３】
即ち、優先度決定手段１９は、提示手段１５に提示中のコンテンツに対するユーザの嗜好傾向に基づく「個別優先度」を取得し、かつ、遷移履歴管理手段２０に管理された遷移履歴に基づき提示手段１５で一つ前に提示されたコンテンツの「優先度」をこの提示中のコンテンツの「従属優先度」として取得し、「個別優先度」と「従属優先度」のうち大きい方の値を前記提示中のコンテンツの「優先度」と決定する。
【００５４】
この実例を図２の遷移（１）で説明する。最初の状態では、コンテンツＡは、例えば、最初に提示するコンテンツとして記憶装置Ｃ５１に保存される。この時、放送状態管理手段１６より得られる情報によりコンテンツＡは放送上重要なコンテンツと判断される。そこで、優先度決定手段１９は、ユーザの嗜好傾向に基づく「個別優先度」を１００に決定し、優先度管理手段１７と遷移履歴管理手段２０を介して、記憶装置Ｃ５１にこの「個別優先度」を１００と設定する。優先度決定手段１９は、コンテンツＡは最初に提示するコンテンツであって一つ前の遷移元のコンテンツはないので（一つ前の優先度はないので）、記憶装置Ｃ５１において、一つ前の優先度を「０」とみなして、このコンテンツＡの「従属優先度」を「０」に設定する。その結果、この状態で、コンテンツＡに関して、「個別優先度」が１００で、「従属優先度」が０であるので、優先度決定手段１９は、これらの中で高い方の値を取り、コンテンツＡの「優先度」を１００とする。次に、遷移（１）において、ユーザがコンテンツＤを記憶装置Ｃ５２に保存する場合は、コンテンツＤの「優先度」が低い場合には、優先度決定手段１９は、優先度管理手段１７と遷移履歴管理手段２０を介して、記憶装置Ｃ５２にこの「個別優先度」を５０に設定する。また、コンテンツＡが一つ前の遷移元のコンテンツで「優先度」は１００であるので、この場合には、優先度決定手段１９は、記憶装置Ｃ５２において、「従属優先度」を遷移元の記憶装置Ｃ５１の「優先度」１００と同じ値、即ち、「従属優先度」を１００に設定する。その結果、この状態で、コンテンツＤに関して、「個別優先度」が５０で「従属優先度」が１００であるので、これらの中で高い方の値を取り、コンテンツＤの「優先度」は１００となる。
【００５５】
次に、一つ前のコンテンツへ「戻る」機能による遷移、即ち、図２の遷移（２）について説明する。
【００５６】
提示手段１５に提示中のコンテンツＤから前記遷移履歴管理手段２０に管理された遷移履歴に基づき一つ前に提示されたコンテンツＡへ戻る時、優先度決定手段１９は、提示中のコンテンツＤに対する「個別優先度」５０と提示中のコンテンツＤに対する「従属優先度」１００とを比較する。提示中のコンテンツＤに対する「従属優先度」の値１００が提示中のコンテンツＤに対する「個別優先度」の値５０より大きいので、提示中のコンテンツＤに対する「個別優先度」５０を前記提示中のコンテンツＤの「優先度」５０と決定し、優先度管理手段１７を再設定する。逆の場合、提示中のコンテンツＤに対する「従属優先度」の値が提示中のコンテンツＤに対する「個別優先度」の値より小さいと、優先度決定手段１９は、コンテンツＤの「従属優先度」をクリアし“０”に再設定する。コンテンツＤの「従属優先度」と「優先度」が、それぞれ“５０”と“０”に再設定されると、コンテンツＤからコンテンツＡに「戻る」遷移（２）は完了する。
【００５７】
この場合について図３のフローチャートを用いて説明する。ステップＳ４０において、提示中のコンテンツＤから前記管理された遷移履歴に基づき一つ前に提示されたコンテンツＡへ「戻る」遷移（２）を開始する。比較ステップＳ４１において、提示中のコンテンツＤに対する「個別優先度」５０と提示中のコンテンツＤに対する「従属優先度」１００とを比較する。この場合、提示中のコンテンツＤに対する「従属優先度」の値１００が提示中のコンテンツＤに対する「個別優先度」の値５０より大きいので、ステップＳ４２において、提示中のコンテンツＤに対する「個別優先度」を提示中のコンテンツＤに対する「優先度」５０と決定し、コンテンツＤに対する「優先度」を５０に再設定する。次にステップＳ４３において、コンテンツＤの「従属優先度」の“１００”をクリアし、「従属優先度」を“０”に再設定する。ステップＳ４４において、コンテンツＤからコンテンツＡに「戻る」遷移（２）は完了する。比較ステップＳ４１において、提示中のコンテンツＤに対する「個別優先度」と提示中のコンテンツＤに対する「従属優先度」とを比較し、逆に、提示中のコンテンツＤに対する「従属優先度」の値が提示中のコンテンツＤに対する「個別優先度」の値５０より小さい場合には、直接ステップＳ４３に移行し、「従属優先度」を“０”に再設定する。ステップＳ４４において、コンテンツＤからコンテンツＡに「戻る」遷移（２）は完了する。
【００５８】
次に、コンテンツＡからコンテンツＢへの遷移（３）を説明する。図４は、図２に示すコンテンツ遷移例の中でコンテンツＡからコンテンツＢへの遷移（３）を例として、コンテンツ遷移時の処理の流れを示す。
【００５９】
まず、ユーザが、例えば、コンテンツ取得手段１２でコンテンツＡを取得した後コンテンツＢを取得するように指示した場合、或いは、送出側がコンテンツＡからコンテンツＢへ切り換えた場合などを例として説明する。この時、コンテンツＡは、例えば、最初に提示するコンテンツとして記憶装置Ｃ５１に保存される。この時、放送状態管理手段１６を含むコンテンツ解析手段１８より得られる情報により、コンテンツＡは放送上重要なコンテンツと判断されたものとする。そこで、優先度決定手段１９は、ユーザの嗜好傾向に基づく「個別優先度」を１００に決定し、優先度管理手段１７と遷移履歴管理手段２０を介して、記憶装置５１にこの「個別優先度」を１００と設定する。優先度決定手段１９は、コンテンツＡは最初に提示するコンテンツであって一つ前の遷移元のコンテンツはないので、記憶装置Ｃ５１において、一つ前の「優先度」は０であるとして、「従属優先度」を０に設定する。その結果、この状態で、コンテンツＡに関して、「個別優先度」が１００で、「従属優先度」が０であるので、優先度決定手段１９は、これらの中で高い方の値を取り、コンテンツＡの「優先度」を１００と設定する。
【００６０】
ステップＳ２１において、コンテンツＡからコンテンツＢへの遷移（３）が開始される。ステップＳ２２において、優先度決定手段１９は、記憶装置Ｃ５１対して、まず遷移元のコンテンツＡの「優先度」１００を取得する。ステップＳ２３において、優先度決定手段１９は、記憶装置Ｃ５３対して、コンテンツＢの「個別優先度」を算出し決定する。本実施例では、例えば、図１に示した放送状態管理手段１６、及び時間計測手段１４を含むコンテンツ解析手段１８より得られる情報により、コンテンツＢの「個別優先度」を４０と設定する。次に、優先度決定手段１９、優先度管理手段１７を含むコンテンツ解析手段１８より得られる情報により、記憶装置Ｃ５３に対して、遷移元のコンテンツＡの「優先度」１００に基づいてコンテンツＢの「従属優先度」を１００と決定する。
【００６１】
ステップＳ２４において、コンテンツＢの「従属優先度」１００とコンテンツＢの「個別優先度」４０を比較する。この場合、コンテンツＢの「従属優先度」１００はコンテンツＢの「個別優先度」４０より大きいため、ステップＳ２５において、コンテンツＢの「従属優先度」１００をコンテンツＢの「優先度」１００として設定する。このようにしてステップＳ２７において、コンテンツＡからコンテンツＢへの遷移（３）が完了する。これとは逆に、コンテンツＢの「従属優先度」がコンテンツＢの「個別優先度」より小さい場合には、ステップＳ２６において、コンテンツＢの「優先度」をコンテンツＢの「個別優先度」に設定する。このようにしてステップＳ２７において、コンテンツＡからコンテンツＢへの遷移（３）が完了する。
【００６２】
図２における遷移（４）も遷移（３）と同様であるので、簡単にこれらについて説明する。
【００６３】
遷移（４）においては、優先度決定手段１９は、記憶装置Ｃ５３から、まず遷移元のコンテンツＢの「優先度」１００を取得する。次のステップにおいて、優先度決定手段１９は、記憶装置Ｃ５４対して、コンテンツＣの「個別優先度」を算出し決定する。本実施例では例えば、図１に示した放送状態管理手段１６、及び時間計測手段１４により、コンテンツＣの「個別優先度」を５０と設定する。次に、優先度決定手段１９、優先度管理手段１７、などの作用により、記憶装置Ｃ５４に対して、遷移元のコンテンツＢの「優先度」１００に基づいてコンテンツＣの「従属優先度」を１００と決定する。次のステップにおいて、コンテンツＣの「従属優先度」１００とコンテンツＣの「個別優先度」５０を比較する。この場合、コンテンツＣの「従属優先度」１００はコンテンツＣの「個別優先度」５０より大きいため、次のステップにおいて、コンテンツＣの「優先度」をコンテンツＣの「従属優先度」１００に設定する。このようにして、コンテンツＢからコンテンツＣへの遷移（４）が完了する。これとは逆に、コンテンツＣの「従属優先度」がコンテンツＣの「個別優先度」より小さい場合には、コンテンツＣの「優先度」をコンテンツＣの「個別優先度」に設定する。このようにして、コンテンツＢからコンテンツＣへの遷移（４）が完了する。
しかしながら、図２の遷移（１）、（２）、（３）、（４）の順に遷移した後に、遷移（５）に移ろうとすると記憶手段１０は、既にコンテンツＡ、Ｂ、Ｃ、Ｄによって、これらの情報サイズ３００、２００、２００、３００によって、合計１０００の容量全部が占有されている。そのため、コンテンツＥを取得する遷移（５）には移れない。そこで、いずれかのコンテンツを廃棄して、記憶手段１０の容量をコンテンツＥの受け入れできるように空けなくてはならない。
【００６４】
この情報記憶装置１１は、コンテンツ取得手段１２が、新たなコンテンツＥを取得しようとした時に、記憶手段１０の容量がコンテンツＡ、Ｂ、Ｃ、Ｄによって合計１０００の容量全部が占有され、これにデータサイズ３００のコンテンツＥを取得するのに容量が不足し、新たなコンテンツＥを記憶できないとわかった。そこで、削除手段２１は、遷移履歴管理手段２０に管理されている遷移履歴に基づき優先度管理手段１７に管理された優先度を、コンテンツＣ、Ｂ、Ａ、Ｄの順に順次遡り、遡った中で優先度の最も低いコンテンツを前記記憶手段１０から削除する。この手順を次に説明する。
【００６５】
即ち、新たにコンテンツＥへの遷移（５）を試みようとしたとき、優先度管理手段１７は、遷移先のコンテンツＥの「優先度」と記憶装置Ｃ５５に記録されるデータ量、即ち、容量３００を算出し、記憶装置Ｃ５１、Ｃ５３、Ｃ５４、Ｃ５２に記憶されているコンテンツＡ、Ｂ、Ｃ、Ｄの容量や「優先度」を比較する。すると、コンテンツＡ、Ｂ、Ｃの「優先度」は全て１００であるのに対し、コンテンツＤの「優先度」は５０に再設定されているので、コンテンツＤの「優先度」が一番低いことになる。そこで、削除手段２１は、優先度管理手段１７の指示に基づき、コンテンツＤを記憶手段１０言い換えれば記憶装置Ｃ５２から削除する。これにより、記憶手段１０にはコンテンツＤが占めていたデータサイズに相当する容量３００が開放される。この開放された容量３００は、記憶装置Ｃ５５として、コンテンツＥを記憶できるようになる。この時、遷移（３）と（４）で説明したと同様に、コンテンツＥの「個別優先度」、「従属優先度」、「優先度」が、優先度決定手段１９と優先度管理手段２９により決定され管理される。即ち、遷移（５）においては、優先度決定手段１９は、記憶装置Ｃ５４対して、まず遷移元のコンテンツＣの「優先度」１００を取得する。次のステップにおいて、優先度決定手段１９は、記憶装置Ｃ５５対して、コンテンツＥの「個別優先度」を算出し決定する。本実施例では例えば、図１に示した放送状態管理手段１６、及び時間計測手段１４により、コンテンツＥの「個別優先度」を３０と設定する。次に、優先度決定手段１９、優先度管理手段１７、などの作用により、記憶装置Ｃ５５に対して、遷移元のコンテンツＣの「優先度」１００に基づいてコンテンツＥの従属優先度を１００と決定する。次のステップにおいて、コンテンツＥの「従属優先度」１００とコンテンツＥの「個別優先度」３０を比較する。この場合、コンテンツＥの「従属優先度」１００はコンテンツＥの「個別優先度」３０より大きいため、次のステップにおいて、コンテンツＥの「優先度」をコンテンツＥの「従属優先度」１００に設定する。このようにして、コンテンツＣからコンテンツＥへの遷移（５）が完了する。これとは逆に、コンテンツＥの「従属優先度」がコンテンツＥの「個別優先度」より小さい場合には、コンテンツＥの「個別優先度」をコンテンツＥの「優先度」に設定する。このようにして、コンテンツＣからコンテンツＥへの遷移（５）が完了する。このようにして、再びキャッシュ容量は合計１０００になり、コンテンツＡ、Ｂ、Ｃ、Ｅが保存されることになる。
【００６６】
この状態では、コンテンツＤは、コンテンツＥから「優先度」の高いコンテンツＡに「戻る」遷移の経路上にはない。
【００６７】
その結果、現在提示中のコンテンツＥから、閲覧を開始した「優先度」の高いコンテンツＡまでの途中のコンテンツは廃棄されず、ユーザは、「戻る」機能を利用することによって、再び参照したいコンテンツを、記憶手段１０に格納されたコンテンツＡ、Ｂ、Ｃ、Ｅの中から素早く参照することが可能になる。
【００６８】
一方、放送によるＭＭサービスでは、放送送出側からコンテンツの更新を要求することが可能である。図１において、コンテンツ取得手段１２が送出側から送出されたコンテンツの更新指示を受取った時に、コンテンツ取得手段１２はコンテンツ更新に伴う新たなコンテンツを取得する。そして、優先度決定手段１９は、記憶手段１０に存在し、かつ、コンテンツの更新指示の対象となっているコンテンツの「従属優先度」を前記新たなコンテンツの「従属優先度」として決定し、前記新たなコンテンツに対するユーザの嗜好傾向に基づいてそのコンテンツに対する「個別優先度」として決定する。
【００６９】
本発明による実施形態では、図１において、まず、放送状態管理手段１６が放送波によって伝送される更新指示を抽出し、優先度決定手段１９に通知する。優先度決定手段１９、遷移履歴管理手段２０を介してこの通知を受けて、記憶手段１０は、該当コンテンツに対し再取得を開始する。
【００７０】
この時、記憶手段１０が既に満杯の時には、先述の遷移（５）のところで説明したように、優先度の一番低いコンテンツから順に削除してから、放送波によって伝送される更新指示を受け入れるようにする。
【００７１】
これにより、放送により実現されるＭＭサービスにおいて頻繁に発生するコンテンツ更新が発生した場合においても、記憶手段１０によるコンテンツは保持され、その結果、「戻る」機能によって遷移する途中に存在し、かつ、記憶手段１０に保存された「優先度」の高いコンテンツは、コンテンツ更新処理によって失われることが回避される。
【００７２】
前述の放送状態管理手段１６からのコンテンツ更新、ユーザキー入力管理手段１３からの通知を要因としたコンテンツ更新、もしくは時間計測手段１４によるコンテンツの更新が発生したとき、コンテンツの「個別優先度」は再度算出され、その値は算出された値に変えられる。
【００７３】
また、明示的にコンテンツ更新が指示されない場合であっても、上述の手段から変化が通知された場合、「個別優先度」は再計算される。例えば、時間計測手段１４によって、参照時間、及び、最終参照時刻からの経過時間を通知され、最終参照時刻からの経過時間がある所定の閾値を超えた場合、そのコンテンツの「個別優先度」を引き下げることができる。
【００７４】
本発明によれば、「個別優先度」の変化に伴い、もし、「従属優先度」が「個別優先度」より高くなった場合、該当コンテンツの「優先度」は「従属優先度」が用いられ、「個別優先度」が「従属優先度」より高く、かつ、変化後も「個別優先度」が高ければ、そのコンテンツの「優先度」には「個別優先度」が用いられる。
【００７５】
図５は、遷移元のコンテンツＡの「優先度」が更新された場合の処理の流れを示すフローチャートである。この実施例では、コンテンツＡの「優先度」が１００から３０に再設定され更新された場合について説明する。コンテンツＡは、上記の実施例では、「個別優先度」が一番高く１００であった。ところが、ユーザがコンテンツＡを最後に参照し、提示してから時間が充分経過し、例えば、ある所定の経過時間を超過した場合には、コンテンツＡの「個別優先度」を引き下げることが必要になる。
【００７６】
この時、時間計測手段１４は、最終参照時刻から経過時間が所定の時間を超過したことを優先度決定手段１９経由で、優先度管理手段１７に知らせる。図５において、例えば、ステップＳ３０では、コンテンツＡの「優先度」が１００から３０に再設定され更新されると、ステップＳ３１では、優先度管理手段１７は、まず、コンテンツＡの更新された「優先度」３０をコンテンツＢへ通知する。その後、ステップＳ３２で、このコンテンツＡの再設定された「優先度」３０、即ち、コンテンツＢの「従属優先度」３０とコンテンツＢの「個別優先度」５０を比較し、コンテンツＢの「個別優先度」は５０の方が高いため、ステップＳ３４で、コンテンツＢの「個別優先度」５０をコンテンツＢの「優先度」５０と設定する。この場合、コンテンツＢの「優先度」が更新された場合、ステップＳ３５からステップＳ３６に移る。ステップＳ３６において、新たに設定されたコンテンツＢの「優先度」をコンテンツＣに通知する。以下、コンテンツＣに対し、上述したコンテンツＢに対する前記ステップＳ３２〜Ｓ３６と同様の処理を行う。コンテンツＢの「優先度」が変わらない場合、ステップＳ３７で、そのまま処理は停止する。
【００７７】
遷移履歴管理手段１９を参照することにより、上記のように、「優先度」が更新されたコンテンツが、現在提示中のコテンツへ至る履歴に含まれているので、前述したように、図５に示した遷移元の「優先度」が更新された場合の処理のフローに従って、提示中のコンテンツに至るまで処理を繰り返す。
【００７８】
その結果、コンテンツ更新、もしくはその他の要因で、「戻る」機能によって遷移する遷移履歴の経路の途中に存在するコンテンツの「優先度」が変更になった場合でも、そのコンテンツに至る途中のコンテンツの「優先度」は「優先度」更新が発生したコンテンツの「優先度」より必ず同じか高くなり、あるコンテンツの「優先度」の更新によって、「戻る」機能による遷移の過程で、途中のコンテンツが記憶手段１０から廃棄されることは回避される。
【産業上の利用可能性】
【００７９】
本発明に係る情報記憶装置によると、特に伝送容量が少なく、「戻る」機能の実現できるかつコンテンツのＵＲＬを直接ユーザが指定不可能な場合でも実用上の効果が高くなる。従って、携帯端末向け地上波デジタル放送データ放送サービスをはじめとした、ＭＭサービスなどの場合において、ユーザが「戻る」機能を利用して、コンテンツに関連してコンテンツ毎に個別に付与された「優先度」の効果により、途中の「優先度」が高いと期待されていたコンテンツが記憶手段から廃棄されてしまうことを防ぐことができる。その結果、ユーザが「優先度」は高いと期待していたコンテンツが参照不可能になるのを防ぐことができる。従って、ユーザはＭＭコンテンツサービスを安心して享受できるようになる。記憶手段の記憶容量が小さい場合でも重要なコンテンツを優先的に保存して後で参照し易くできる。その結果、携帯情報端末、携帯ＭＭ情報端末、延いては、放送受信可能な携帯電話などにも適用が可能である。
【図面の簡単な説明】
【００８０】
【図１】実施の形態に係る全体構成を表すブロック図
【図２】本発明を実施した場合のコンテンツ遷移を説明するための図
【図３】戻る機能によるコンテンツ遷移時の優先度設定処理の流れを表すフローチャート
【図４】コンテンツ遷移時の優先度設定処理の流れを表すフローチャート
【図５】遷移元優先度更新時の優先度設定処理の流れを表すフローチャート
【符号の説明】
【００８１】
１０    記憶手段
１１    情報記憶装置
１２    コンテンツ取得手段
１３    ユーザの指示受付手段
１４    時間計測手段
１５    提示手段
１６    放送状態管理手段
１７    優先度管理手段
１８    ＭＭコンテンツ解析手段
１９    優先度決定手段
２０    遷移履歴管理手段
２１    コンテンツ削除手段
【図１】
2007020056.tif 000003
【図２】
2007020056.tif 000004
【図３】
2007020056.tif 000005
【図４】
2007020056.tif 000006
【図５】
2007020056.tif 000007